(57)【要約】【課題】色調整用の文書データのファイルフォーマットの種類にかかわらず、色変換パラメータを容易に調整することができる画像処理装置を提供する。【解決手段】本発明に係る画像処理装置は、文書データを入力する入力手段と、文書データからラスタ画像データを生成するレンダリング手段と、色変換パラメータを記憶する色変換パラメータ記憶手段と、ラスタ画像データを前記色変換パラメータにしたがって色変換する色変換処理手段と、色変換処理手段により色変換されたラスタ画像データを出力する出力手段と、色画像を読み取り、読取ラスタ画像データを生成する読取手段と、レンダリング手段により生成されたラスタ画像データと読取ラスタ画像データとを表示する表示手段と、表示された画面の指定された部分の色を修正対象として色変換パラメータを修正することにより、出力されるラスタ画像データの色を調整する色調整手段とを備える。【選択図】  図１
2006260533.tif 000002
【特許請求の範囲】
【請求項１】
文書データを入力する入力手段と、
入力された前記文書データからラスタ画像データを生成するレンダリング手段と、
色変換パラメータを記憶する色変換パラメータ記憶手段と、
前記ラスタ画像データを前記色変換パラメータにしたがって色変換する色変換処理手段と、
前記色変換処理手段により色変換されたラスタ画像データを出力する出力手段と、
色画像を読み取り、読取ラスタ画像データを生成する読取手段と、
前記レンダリング手段により生成された前記ラスタ画像データと前記読取ラスタ画像データとを表示する表示手段と、
前記表示手段に表示された画面の指定された部分の色を修正対象として前記色変換パラメータを修正することにより、出力される前記ラスタ画像データの色を調整する色調整手段と
を備えた画像処理装置。
【請求項２】
前記レンダリング手段によって生成された前記ラスタ画像データを縮小する画像データ縮小手段をさらに備え、
前記表示手段は、縮小された前記ラスタ画像データと前記読取ラスタ画像データとを表示する、
請求項１に記載の画像処理装置。
【請求項３】
前記色調整手段は、所望の色を前記読取ラスタ画像データの色に基づいて指定する色指示手段を備え、前記修正対象の色を指定された前記所望の色に調整する、
請求項１に記載の画像処理装置。
【請求項４】
前記レンダリング手段によって生成された前記ラスタ画像データを縮小する画像データ縮小手段をさらに備え、
前記表示手段は、縮小された前記ラスタ画像データと前記読取ラスタ画像データとを表示し、
前記色調整手段は、所望の色を前記読取ラスタ画像データの色に基づいて指定する色指示手段を備え、前記修正対象の色が指定された前記所望の色になるように調整する、
請求項１に記載の画像処理装置。
【請求項５】
前記レンダリング手段により生成される文書構造情報を記憶する文書構造情報記憶手段をさらに備え、
前記色変換手段は、前記ラスタ画像データを前記文書構造情報に対応する色変換パラメータにしたがって色変換し、
前記色調整手段は、前記表示手段に表示された画面の指定された部分の色を修正対象として前記文書構造情報に対応する色変換パラメータを修正することにより、出力される前記ラスタ画像データの色を調整する、
請求項１に記載の画像処理装置。
【請求項６】
前記レンダリング手段によって生成された前記ラスタ画像データと前記文書構造情報とを縮小する縮小処理手段をさらに備え、
前記読取手段は、前記縮小処理と対応した大きさの読取ラスタ画像データを生成し、
前記表示手段は、縮小された前記ラスタ画像データと前記読取ラスタ画像データとを表示する、
請求項５に記載の画像処理装置。
【請求項７】
前記色調整手段は、所望の色を前記読取ラスタ画像データの色に基づいて指定する色指示手段を備え、前記修正対象の色が指定された前記所望の色になるように調整する、
請求項５に記載の画像処理装置。
【請求項８】
前記レンダリング手段によって生成された前記ラスタ画像データと前記文書構造情報とを縮小する縮小処理手段をさらに備え、
前記読取手段は、前記縮小処理と対応した大きさの読取ラスタ画像データを生成し、
前記表示手段は、縮小された前記ラスタ画像データと前記読取ラスタ画像データとを表示し、
前記色調整手段は、所望の色を前記読取ラスタ画像データの色に基づいて指定する色指示手段を備え、前記修正対象の色が指定された前記所望の色になるように調整する、
請求項５に記載の画像処理装置。
【請求項９】
前記文書構造情報は、文書データがもつオブジェクトの種類情報及び文書データがもつ出力条件指示情報の少なくとも一方をもつ情報である、
請求項５に記載の画像処理装置。
【請求項１０】
文書データを入力するステップと、
入力された前記文書データからラスタ画像データを生成するステップと、
色変換パラメータを記憶するステップと、
前記ラスタ画像データを前記色変換パラメータにしたがって色変換するステップと、
色変換された前記ラスタ画像データを出力するステップと、
色画像を読み取り、読取ラスタ画像データを生成するステップと、
生成された前記ラスタ画像データと前記読取ラスタ画像データとを表示するステップと、
表示された前記ラスタ画像データの指定された部分の色を修正対象として前記色変換パラメータを修正することにより、出力される前記ラスタ画像データの色を調整するステップと
を備えた画像処理方法。
【請求項１１】
生成された前記ラスタ画像データを縮小するステップをさらに備え、
前記表示するステップは、縮小された前記ラスタ画像データと前記読取ラスタ画像データとを表示する、
請求項１０に記載の画像処理方法。
【請求項１２】
前記色を調整するステップは、所望の色を前記読取ラスタ画像データの色に基づいて指定し、前記修正対象の色を指定された前記所望の色に調整する、
請求項１０に記載の画像処理方法。
【請求項１３】
生成された前記ラスタ画像データを縮小するステップをさらに備え、
前記表示するステップは、縮小された前記ラスタ画像データと前記読取ラスタ画像データとを表示し、
前記色を調整するステップは、所望の色を前記読取ラスタ画像データの色に基づいて指定し、前記修正対象の色が指定された前記所望の色になるように調整する、
請求項１０に記載の画像処理方法。
【請求項１４】
前記文書データから文書構造情報を生成するステップと、
生成された前記文書構造情報を記憶するステップとをさらに備え、
前記色を変換するステップは、前記ラスタ画像データを前記文書構造情報に対応する色変換パラメータにしたがって色変換し、
前記色を調整するステップは、表示された前記ラスタ画像データの指定された部分の色を修正対象として前記文書構造情報に対応する色変換パラメータを修正することにより、出力される前記ラスタ画像データの色を調整する、
請求項１０に記載の画像処理方法。
【請求項１５】
生成された前記ラスタ画像データと前記文書構造情報とを縮小するステップをさらに備え、
前記表示するステップは、縮小された前記ラスタ画像データと前記読取ラスタ画像データとを表示する、
請求項１４に記載の画像処理方法。
【請求項１６】
前記色を調整するステップは、所望の色を前記読取ラスタ画像データの色に基づいて指定し、前記修正対象の色を指定された前記所望の色に調整する、
請求項１４に記載の画像処理方法。
【請求項１７】
生成された前記ラスタ画像データと前記文書構造情報とを縮小するステップをさらに備え、
前記表示するステップは、縮小された前記ラスタ画像データと前記読取ラスタ画像データとを表示し、
前記色を調整するステップは、所望の色を前記読取ラスタ画像データの色に基づいて指定し、前記修正対象の色が指定された前記所望の色になるように調整する、
請求項１４に記載の画像処理方法。
【請求項１８】
前記文書構造情報は、文書データがもつオブジェクトの種類情報及び文書データがもつ出力条件指示情報の少なくとも一方をもつ情報である、
請求項１４に記載の画像処理方法。
【発明の詳細な説明】
【技術分野】
【０００１】
本発明は、画像処理装置及び画像処理方法に係り、特に、画像データの容易な色調整を可能とする画像処理装置及び画像処理装置に関する。
【背景技術】
【０００２】
近年、ワープロソフト、表計算ソフト、描画ソフト等の各種文書作成アプリケーションソフトウェアのカラー化の普及に伴い、カラープリント（カラー印刷）の需要は大きく増大してきている。
【０００３】
カラー対応の文書作成アプリケーションソフトウェアを用いてカラープリントを行った場合、時にはユーザが所望しない色でプリントされる場合がある。
【０００４】
特に、企業マーク（ロゴマーク）等では正確な色表現が重要視されるが、企業マーク等をプリントした場合、ユーザの所望する色表現と実際にプリントされた色とがわずかに相違する場合がしばしばある。
【０００５】
この理由は、プリンタの色変換パラメータの設計にある。即ち、プリンタの色変換パラメータは、基本的には正確な色をプリントするように設計されているが、さまざまな文字、図形、自然画像等がプリントの対象であり、それぞれがプリントされたときに、平均的なユーザが好ましいと感じるように色変換パラメータが微調整されているためである。
【０００６】
例えば、色変換パラメータは、平均的なユーザに対して好ましい色となるように、少し明るめに、或いは少しコントラストが強めになるように微調整されることが多い。このため、正確な色表現が必要とされる企業マークをプリントした場合にプリントの色に若干のずれが発生することになる。
【０００７】
また、たとえ正確な色をプリントするように色変換パラメータを設計した場合であっても、入力される色を総て正確にプリントできるように色変換パラメータを作ることは困難であり、部分的には色の誤差が発生する。企業マークの色はそれぞれ異なるため、非常に多くの企業マークの色が存在する。このため、ある企業の企業マークは正確な色でプリントできたとしても、他の企業の企業マークでは色がずれる場合も起こりうる。
【０００８】
さらに、プリンタ自体にもそれぞれある程度の個体差があるため、予めプリンタに設定された同一の色変換パラメータを使用したとしても、常に完全に同一の色でプリントできるとは限らない。
【０００９】
企業マークの色を例にとって説明したが、企業マーク以外であっても個人の色に対する好みに起因してユーザの不満が発生することもある。上述したように、多くの場合、色変換パラメータは平均的なユーザが好ましいと感じるように設計される。しかしながら、色の好みは個々のユーザに応じて異なる。このため、例えば、通常の赤い文字をプリントする場合であっても、予めプリンタに設定された色変換パラメータを使用してプリントされた赤の色に不満を感じるユーザもいる。
【００１０】
これらの対策として、従来から色調整処理が存在する。色調整処理は、例えばプリンタ内に格納された色変換パラメータを、所望の色のプリント出力が得られるように修正する処理である。
【００１１】
従来から行われている色調整処理の動作を図１１を用いて説明する。
【００１２】
カラープリンタ１６００は、画像データをプリントするための出力手段と、色変換パラメータを記憶している色変換パラメータ記憶手段１６２０を備えている。
【００１３】
色調整処理は、例えば、カラープリンタ１６００に外付けされるパーソナルコンピュータにインストールされる色調整用アプリケーションソフトウェアを実行させることによって行われる。
【００１４】
色調整用アプリケーションソフトウェアは、色調整処理手段１６１０と色調整用標準画像データ１６３０を備えている。色調整用標準画像データ１６３０は、通常は、予め用意された複数の異なる色パッチによって構成される画像データである。
【００１５】
まず、色調整処理手段１６１０は、予め設定されている色変換パラメータをカラープリンタ１６００から読みこむ。
【００１６】
次に、ユーザは、色調整用標準画像データ１６３０の中から、調整したいと思っている色に最も近い色の色パッチを選択する。選択された色パッチは、例えばパーソナルコンピュータの表示画面に「修正前の色」として表示される。
【００１７】
次に、ユーザは、色調整処理手段１６１０が提供する適宜のユーザインタフェースを介して、表示された修正前の色をユーザが所望する色に微調整する。微調整された色は「修正後の色」として、例えば「修正前の色」と並列的に表示画面に表示される。この微調整はカラープリンタ１６００から取り込まれた色変換パラメータを微調整することによって行われる。
【００１８】
「修正後の色」がユーザの満足する色に修正されると、ユーザは「修正後の色」に対応して修正された色変換パラメータを、色調整処理手段１６１０からカラープリンタ１６２０に格納する。以降は、「修正前の色」に対応した画像データがカラープリンタ１６２０に入力された場合でも、修正された色変換パラメータに基づいて「修正後の色」が出力手段を介してプリントされることになる。
【００１９】
この他、特許文献１、２にも色調整処理に関する技術が開示されている。
【特許文献１】特開２００２−２５９１０９号公報
【特許文献２】特開２００３−２９６０８８号公報
【発明の開示】
【発明が解決しようとする課題】
【００２０】
しかしながら、上述した従来の色調整処理には幾つかの問題点がある。
【００２１】
第１の問題点は、色調整用アプリケーションソフトウェアが予め保有する色調整用標準画像データ１６３０の色パッチの色の種類が限定されている点である。即ち、色調整用標準画像データ１６３０の中にユーザが調整したい色が含まれているとは限らない。
【００２２】
従って、色調整用標準画像データ１６３０の中にユーザが調整したい色が含まれていない場合には、調整したい色の色調整用標準画像データ１６３０をユーザ自身が新たに作成し追加する必要がある。
【００２３】
通常、ユーザが作成する文書に色を付ける際には、該当する文書作成アプリケーションソフトウェアが用意した複数の色群から使用したい色を選択することが多く、この場合、ユーザは選択した色の具体的な数値、例えば、Ｒｅｄ＝２５５、Ｇｒｅｅｎ＝１２８、Ｂｌｕｅ＝１２８といった数値を特に意識していない。
【００２４】
しかしながら、従来の色調整用アプリケーションソフトウェアにおいてユーザが新たに色調整用標準画像データ１６３０を作成しようとする場合には、これらの色の具体的数値が必要となる。このため、ユーザは複数の色群から使用したい色を選択する際には選択した色の具体的数値を調査し、この数値を用いて色調整用標準画像データ１６３０を作成しなければならず、非常に大きな労力を要することとなる。
【００２５】
一方、ユーザが作成し色付けした文書データを色調整用アプリケーションソフトウェアが読みこみ、色付けされた画像データを色調整用標準画像データ１６３０のフォーマットに変換することも理論的には可能である。色調整用標準画像データ１６３０のフォーマットは、ＴＩＦＦ（Tagged  Image  File  Format）等のラスタデータ系のフォーマットであることが多い。しかしながら、ユーザが作成する文書に含まれる画像データのフォーマットは、文書作成アプリケーションソフトウェアの種類に依存し、ワープロ系、表計算系、グラフィック系等のアプリケーションソフトウェアで規定されたフォーマットであり、多種にわたる。このため、多くの種類のフォーマットを色調整用標準画像データ１６３０のフォーマット、例えばＴＩＦＦに変換する多くの種類のコンバータをユーザが別途用意する必要があり、ユーザにとって極めて煩雑であり現実的とは言えない。
【００２６】
第２の問題点は、色変換パラメータの種類を指定する際の煩雑さにある。
【００２７】
カラープリンタ１６００が有する色変換パラメータ記憶手段１６２０には、通常複数の種類の色変換パラメータが記憶されていることが多い。例えば、カラープリンタ１６００に入力される文書データの中には、文字、図形、自然画等の異なる種類のオブジェクトが存在する。これらの異なる種類のオブジェクトの色を最適に表現するため、オブジェクトの種類に対応した複数の種類の色変換パラメータが記憶されている。オブジェクトの種類に加えて、用紙の種類、プリントの解像度、ハーフトーンの種類等のプリント条件に応じて色変換パラメータの種類は増加する。
【００２８】
このように多数の色変換パラメータの種類の中から、ユーザが修正しようとする色変換パラメータの種類を特定することは容易ではなく、また場合によっては事実上困難となる場合もある。
【００２９】
特許文献１は、アプリケーションソフトウェア上の色情報を取得し、取得した色情報をページ記述言語に変換し、各色毎に濃度や線幅等を変更してプリンタに送信する技術について記述しているが、上記問題点を解決する技術については何ら開示していない。
【００３０】
また、特許文献２は、画像データの色調整を容易にすることを課題としているが、上記問題点を解決する技術については何ら開示していない。
【００３１】
本発明は上記事情に鑑みてなされたもので、色調整用の文書データのファイルフォーマットの種類にかかわらず、色変換パラメータを容易に調整することができる画像処理装置及び画像処理方法を提供することを目的とする。
【課題を解決するための手段】
【００３２】
上記課題を解決するため、本発明に係る画像処理装置は、請求項１に記載したように、文書データを入力する入力手段と、入力された前記文書データからラスタ画像データを生成するレンダリング手段と、色変換パラメータを記憶する色変換パラメータ記憶手段と、前記ラスタ画像データを前記色変換パラメータにしたがって色変換する色変換処理手段と、前記色変換処理手段により色変換されたラスタ画像データを出力する出力手段と、色画像を読み取り、読取ラスタ画像データを生成する読取手段と、前記レンダリング手段により生成された前記ラスタ画像データと前記読取ラスタ画像データとを表示する表示手段と、前記表示手段に表示された画面の指定された部分の色を修正対象として前記色変換パラメータを修正することにより、出力される前記ラスタ画像データの色を調整する色調整手段と、を備えたことを特徴とする。
【００３３】
また、上記課題を解決するため、本発明に係る画像処理方法は、請求項１０に記載したように、文書データを入力するステップと、入力された前記文書データからラスタ画像データを生成するステップと、色変換パラメータを記憶するステップと、前記ラスタ画像データを前記色変換パラメータにしたがって色変換するステップと、色変換された前記ラスタ画像データを出力するステップと、色画像を読み取り、読取ラスタ画像データを生成するステップと、生成された前記ラスタ画像データと前記読取ラスタ画像データとを表示するステップと、表示された前記ラスタ画像データの指定された部分の色を修正対象として前記色変換パラメータを修正することにより、出力される前記ラスタ画像データの色を調整するステップと、を備えたことを特徴とする。
【発明の効果】
【００３４】
本発明に係る画像処理装置及び画像処理方法によれば、色調整用の文書データのファイルフォーマットの種類にかかわらず、色変換パラメータを容易に調整することができる。
【発明を実施するための最良の形態】
【００３５】
本発明に係る画像処理装置および画像処理方法の実施形態について添付図面を参照して説明する。
【００３６】
（１）第１の実施形態
図１は、本発明に係る画像処理装置１の第１の実施形態の構成例を示す図である。
【００３７】
画像処理装置１は、文書データを入力する入力手段１１０と、入力された文書データからラスタ画像データを生成するレンダリング手段１２０と、色変換パラメータを記憶する色変換パラメータ記憶手段１５０と、ラスタ画像データを色変換パラメータにしたがって色変換する色変換処理手段１３０と、色変換処理手段１３０により色変換されたラスタ画像データを出力する出力手段１４０とを備える。
【００３８】
また、画像処理装置１は、レンダリング手段１２０により生成されたラスタ画像データを記憶するラスタ画像データ記憶手段１６０と、ユーザの所望の色が含まれるハードコピー原稿（色画像）を読み取り読取ラスタ画像データを生成する画像読取手段１８０（読取手段）と、記憶されたラスタ画像データと読取ラスタ画像データとを表示し、表示されたラスタ画像データの指定された部分の色を修正対象として前記色変換パラメータを修正することにより、出力される前記ラスタ画像データの色を調整する色調整手段１７０とを備える。
【００３９】
入力手段１１０は、文書データを画像処理装置１に入力するための手段であり、ＬＡＮ（Local  Area  Network）、インタネット、ＵＳＢ、電話網、専用通信線等の通信インタフェースでもよい。有線、無線を問わない。
【００４０】
また、入力手段１１０は、ＣＤ−ＲＯＭ、ＤＶＤ等の外部の記憶媒体から文書データを入力する形態であっても良いし、画像処理装置１が内蔵する適宜の内部記憶装置から入力する形態でも良い。
【００４１】
また、入力手段１１０は、スキャナーやデジタルカメラ等の画像生成装置から文書データを入力する形態でも良い。
【００４２】
また、出力手段１４０は、色変換処理手段１３０によって処理された文書データを、人間の視覚によって認識しうるものにする手段であり、プリント手段、ディスプレイは出力手段に該当する。但し、以下の実施形態の説明においては、特に断らない限り、出力手段としてはプリント手段を例にした説明を行う。
【００４３】
入力手段１１０は、単数ページまたは複数ページからなる文書データを受け入れる。文書データは一般的な文書作成ソフトウェア、例えばMicrosoft Word、Excel、Adobe Acrobat（登録商標）などで作成されることが多い。入力手段１１０は、これらの文書データ、または事前にプリンタドライバなどによってPostscript（登録商標）やＰＣＬなどのＰＤＬ（ページ記述言語）となった文書データを受け入れる。
【００４４】
レンダリング手段１２０は、入力された文書データをラスタ画像データに変換する。図２（ａ）に示すように入力される文書データには、その文書中或いはページ中にラスタデータではないデータが含まれることがある。すなわち、文字データは、通常アスキーコードとその色情報と大きさなどの情報で表現された非ラスタデータである。また、いわゆるドロー系グラフィックソフトウェアで作成された図形データは、直線、四角、円などの形状やその大きさ、位置、色情報などからなるベクターデータという非ラスタデータで表現される。また、自然画像データは圧縮処理された非ラスタデータ形式の場合がある。
【００４５】
図２（ｂ）は、これら文字データ、図形データ、自然画像データを、すべてラスタ画像データに変換した後の状態を示している。
【００４６】
色変換処理手段１３０は、ラスタ画像データを色変換パラメータにしたがって色変換を行う。色変換パラメータはテーブルあるいは行列（マトリクス）の形態で表現することができる。但し、以下の説明においては、特に断らない限り、便宜上、テーブルの形態で表現された色変換パラメータについてのみ述べるが、本発明はテーブルの形態で表現された色変換パラメータに制限されるものではない。
【００４７】
図３に色変換処理手段１３０における処理の一例を示す。図３では入力のラスタ画像データの色空間をＲＧＢ（Red、Green、Blue）表されるＲＧＢ色空間とし、色変換処理手段１３０から出力されるラスタ画像データの色空間をＣＭＹＫ（Cyan、Magenta、Yellow、Black）で表されるＣＭＹＫ色空間としている。したがって、この例ではＲ、Ｇ、Ｂの３つの変数で定められる入力値を、Ｃ、Ｍ、Ｙ、Ｋの４つの変数で定められる出力に色変換処理される。
【００４８】
色変換処理手段１３０は、３次元ＬＵＴ（ルックアップテーブル）を持つ。３次元ＬＵＴには、いかなるＲＧＢ値が入力されたときには、いかなるＣＭＹＫ値に変換すべきかを決定するデータが予め格納される。３次元ＬＵＴに格納されるデータは色変換パラメータの一形態であり、色変換処理対象の属性に適合した色変換パラメータが図３に示す色変換処理手段１３０に格納される。すなわち、色変換パラメータは通常、色変換対象の属性に応じて複数存在する。
【００４９】
なお、入力であるＲ、Ｇ、Ｂのそれぞれの値は２５６種類（８ビット）程度の場合が多く、この場合、色は約１６７０万種類にもなり、これをそのまま３次元ＬＵＴデータとするのはメモリ容量の面から実用的でない。そこで通常は、Ｒ、Ｇ、Ｂの各軸を何分割かして、この何分割された各軸の交点にあたる格子点におけるＲＧＢ値の組み合わせに対応するＣＭＹＫ値を３次元ＬＵＴデータとして、３次元ＬＵＴに格納する。
【００５０】
このように３次元ＬＵＴにデータを格納しておき、入力ＲＧＢ値の組み合わせが３次元ＬＵＴの格子点にあれば、その３次元ＬＵＴの格子点におけるデータのＣＭＹＫ値を出力する。また、入力ＲＧＢ値の組み合わせが３次元ＬＵＴの格子点にない場合には、入力ＲＧＢ値に近接する周囲の複数の格子点（例えば８点）を抽出し、抽出された複数の格子点に対応する３次元ＬＵＴデータのＣＭＹＫ値をもとに、補間演算により入力ＲＧＢ値に対応するＣＭＹＫ値を出力する。
【００５１】
以上、説明を簡単にするため、例としてＲＧＢ色空間での値と、ＣＭＹＫ色空間での値とを、直接的に結びつけるものとして色変換パラメータについて説明した。しかし、色は様々な表色系によって表すことが可能である。
【００５２】
例えば、デバイスに依存せず、人間の視覚と親和性が高いＣＩＥ（Commission  Internationale  d’Eclairage；国際照明委員会）のＬＡＢ表色系の空間での値を介して、間接的にＲＧＢ色空間での値とＣＭＹＫ色空間での値とを結びつける色変換パラメータもある。ここで、ＣＩＥ  ＬＡＢ表色系では、色はＬ＊、ａ＊、ｂ＊の３要素で表され、Ｌ＊の値が明度を、ａ＊、ｂ＊の値が色相、彩度（鮮やかさ）を表す。
【００５３】
出力手段１４０は、画像をプリントする手段であり、インクジェット方式、電子写真方式、熱転写方式などによるものがあるが、本発明では特にこれら方式を問うものではない。
【００５４】
色変換パラメータ記憶手段１５０は、ハードディスクや半導体メモリなどで構成され、色変換処理手段１３０で使用される色変換パラメータを記憶する。図３に示した色変換処理手段１３０の例では、色変換パラメータは、入力がＲＧＢで、出力がＣＭＹＫの３次元ＬＵＴの形で記憶されている。
【００５５】
ラスタ画像データ記憶手段１６０は、レンダリング手段１２０によってラスタ化された文書データであるラスタ画像データを記憶する。例えば、図２（ｂ）に示したラスタ画像データが記憶される。
【００５６】
色調整手段１７０は、色変換パラメータ記憶手段１５０に記憶されている色変換パラメータを、ユーザの指示にしたがって、出力の色がユーザの所望するものとなるように修正する。ユーザによる色調整操作に際しては、ラスタ画像データ記憶手段１６０に記憶されたラスタ画像データが使用される。
【００５７】
上記のように構成された画像処理装置１の動作について説明する。
【００５８】
図４（ａ）は、ユーザが一般的な文書作成ソフトウェアを使用して作成した１ページの文書データを示す。この文書データは、文字データ、ベクター（図形）データ、自然画像データを含む。また文字データ１の文字は、ユーザが一般的な文書作成ソフトウェア上で指定した、例えば赤の文字である。この文書データは、入力手段１１０を介して画像処理装置１に入力される。
【００５９】
続いてレンダリング手段１２０によって、文書中の文字データ、ベクターデータ、自然画像データは、すべて、図４（ｂ）に示すＲＧＢのラスタ画像データになる。このラスタ画像データは、色変換処理手段１３０に入力されるとともに、ラスタ画像データ記憶手段１６０に記憶される。
【００６０】
色変換処理手段１３０の３次元ＬＵＴには、色変換パラメータ記憶手段１５０に予め記憶されていた色変換パラメータである３次元ＬＵＴデータがセットされる。そして、色変換処理手段１３０は、入力されるＲＧＢラスタ画像データに含まれるＲＧＢ値を、順次、３次元ＬＵＴに基づき、必要に応じて補間演算を行い、ＣＭＹＫ値に変換する。図４（ｃ）はこのようにしてＣＭＹＫに変換されたラスタ画像データを示す。そして、色変換処理されたラスタ画像データは、出力手段１４０によりプリント出力される。
【００６１】
ここで、ユーザがプリント出力されたハードコピーを見て、文字データ１の文字の赤色はユーザが所望する色ではないと考える場合がある。このとき、ユーザは色調整手段１７０を用いて、文字データ１の文字の赤色をユーザが所望する色が得られるよう色変換パラメータを修正することができる。
【００６２】
より詳細に色調整手段１７０を用いた色調整の例について説明する。
【００６３】
図５に例示したように、色調整手段１７０は、例えば、ラスタ画像データを表示する第１の表示手段１７１（以下、画像表示手段１７１という）および読取ラスタ画像データを表示する第２の表示手段１７２（以下、読取画像表示手段１７２という）ユーザインタフェースを持っている。
【００６４】
読取ラスタ画像データは、画像読取手段１８０によって読み込まれたハードコピーの色画像を含む画像データである。
【００６５】
画像読取手段１８０を設ける意義の一つは、ユーザが所望する色を含むハードコピーが存在する場合に、そのハードコピー原稿を読み取り、電子的なラスタ画像データを得ることによって、ユーザの色調整操作を非常に容易にする点にある。
【００６６】
画像読取手段１８０は、特に限定するものではないが、例えばスキャナー等で構成される。この場合、光源、ＣＣＤセンサなどの電子読取素子、その駆動回路、光学系などから構成される。この他、例えばデジタルカメラ等で構成しても良い。
【００６７】
この画像読取手段１８０が読み取ることによって生成される電子的なラスタ画像データを、色調整手段１７０の読取画像表示手段１７２に表示する。
【００６８】
次に図５を用いて本実施形態における色調整手段１７０を用いた色調整の例について説明する。図５に示すように色調整手段１７０は、例えば、画像表示手段と色指示手段というユーザインタフェースを有する。
【００６９】
色調整手段１７０は、画像表示手段１７１と読取画像表示手段１７２の２つの画像表示手段を備えている。
【００７０】
画像表示手段１７１に表示される画像データは、レンダリング手段１２０によって生成されたラスタ画像データである。一方、読取画像表示手段１７２に表示される画像データは、ユーザが所望する色が含まれるハードコピー原稿を、画像読取手段１８０によって読み込むことによって生成された読取ラスタ画像データである。
【００７１】
ユーザは、色指示手段の一部である十字カーソル１７３ａをマウスなどのポインティングデバイス（図示せず）を使用して、画像表示手段１７１に表示されているラスタ画像データの中にある文字データ１の色を、所望しない、すなわち修正したい色（修正前の色）として指定する。
【００７２】
色調整手段１７０は文字データ１の色のＲＧＢ値（Ｒ１，Ｇ１，Ｂ１）を記憶しておく。
【００７３】
一方、文字データ１の色として所望する赤色が含まれるハードコピー原稿は、画像読取手段１８０によって読取ラスタ画像データになっており、読取画像表示手段１７２に表示される。
【００７４】
ユーザは、次に、色指示手段の一部であるＸ字カーソル１７３ｂをマウスなどのポインティングデバイス（図示せず）を使用して、読取画像表示手段１７２に表示されている読取ラスタ画像データの中にある、ユーザが所望する赤色を含む部分を指定する。
【００７５】
このように、ユーザが所持しているハードコピー原稿に既に所望の色がある場合は、非常に容易に所望する色を指定することができる。色調整手段１７０は、Ｘ字カーソル１７３ｂで指定された部分の色である赤色のＲＧＢ値（Ｒ２，Ｇ２，Ｂ２）を記憶しておく。
【００７６】
以上のようなユーザの操作により、修正したい色のＲＧＢ値（Ｒ１，Ｇ１，Ｂ１）と所望する色のＲＧＢ値（Ｒ２，Ｇ２，Ｂ２）とが定まると、これらのＲＧＢ値に基づいて色変換パラメータが修正される。
【００７７】
なお、画像表示手段１７１に表示されるラスタ画像データは、レンダリング手段１２０によって既にラスタ形式のデータフォーマットとなっている。したがって、特別なフォーマットコンバータを必要としないで、ラスタ画像データを容易に画像表示手段１７１に表示することができる。
【００７８】
以上のような操作により、修正したい色（修正前の色）のＲＧＢ値（Ｒ１，Ｇ１，Ｂ１）と所望する色のＲＧＢ値（Ｒ２，Ｇ２，Ｂ２）とが指定される。色調整手段１７０では、これらのＲＧＢ値に基づいて、予め色変換パラメータ記憶手段１５０から読み込まれている色変換パラメータを修正する。
【００７９】
色変換パラメータ、即ち３次元ＬＵＴの修正方法の具体例を次に説明する。
【００８０】
修正前の色（Ｒ１，Ｇ１，Ｂ１）が３次元ＬＵＴの格子点に存在する場合には、この格子点には修正前ＣＭＹＫ値（Ｃ１，Ｍ１，Ｙ１，Ｋ１）が格納されている。色調整手段１７０は、色調整後の色、即ち所望する色（Ｒ２，Ｇ２，Ｂ２）に対応するＣＭＹＫ値（Ｃ２，Ｍ２，Ｙ２，Ｋ２）を修正前の３次元ＬＵＴに基づいて求める。
【００８１】
この際、所望する色（Ｒ２，Ｇ２，Ｂ２）も３次元ＬＵＴの格子点に存在する場合には対応するＣＭＹＫ値（Ｃ２，Ｍ２，Ｙ２，Ｋ２）を直ちに求めることができる。
【００８２】
一方、所望する色（Ｒ２，Ｇ２，Ｂ２）が３次元ＬＵＴの格子点に存在しない場合には、所望する色（Ｒ２，Ｇ２，Ｂ２）に近接する、例えば８点の格子点にあるＣＭＹＫ値から適宜の補間処理によってＣＭＹＫ値（Ｃ２，Ｍ２，Ｙ２，Ｋ２）を算出する。
【００８３】
このようにして求めたＣＭＹＫ値（Ｃ２，Ｍ２，Ｙ２，Ｋ２）を、修正前の色（Ｒ１，Ｇ１，Ｂ１）の格子点に存在するＣＭＹＫ値（Ｃ１，Ｍ１，Ｙ１，Ｋ１）と置き換えることによって３次元ＬＵＴを修正する。
【００８４】
他方、修正したい色（Ｒ１，Ｇ１，Ｂ１）が３次元ＬＵＴの格子点にはない場合には、（Ｒ１，Ｇ１，Ｂ１）に近接する周囲の、例えば、８つの格子点（Ｒ１１，Ｇ１１，Ｂ１１）、（Ｒ１２，Ｇ１２，Ｂ１２）、・・・・、（Ｒ１８，Ｇ１８，Ｂ１８）を抽出し、抽出された８つの格子点のそれぞれに対応する３次元ＬＵＴデータのＣＭＹＫ値の修正を行う。
【００８５】
ここで、所望する色（Ｒ２，Ｇ２，Ｂ２）に対応するＣＭＹＫ値（Ｃ２，Ｍ２，Ｙ２，Ｋ２）は修正前の３次元ＬＵＴに基づいて求める。
【００８６】
次に、前記８つの格子点（Ｒ１ｉ，Ｇ１ｉ，Ｂ１ｉ）（ｉ＝１ないし８）に対応するＣＭＹＫ値（Ｃ１ｉ，Ｍ１ｉ，Ｙ１ｉ，Ｋ１ｉ）（ｉ＝１ないし８）をそれぞれ（Ｃ２ｉ，Ｍ２ｉ，Ｙ２ｉ，Ｋ２ｉ）（ｉ＝１ないし８）に置き換えることによって３次元ＬＵＴを修正する。この際、（Ｃ２ｉ，Ｍ２ｉ，Ｙ２ｉ，Ｋ２ｉ）（ｉ＝１ないし８）の値を用いた補間演算によって求められるＣＭＹＫ値が所望する（Ｃ２，Ｍ２，Ｙ２，Ｋ２）となるように（Ｃ２ｉ，Ｍ２ｉ，Ｙ２ｉ，Ｋ２ｉ）（ｉ＝１ないし８）の値を決定する。
【００８７】
上記のように修正された３次元ＬＵＴ（色変換パラメータ）を、色変換パラメータ記憶手段１５０に格納する。
【００８８】
色変換パラメータが修正された後、図４（ａ）に示した文書データが再度入力手段１１０を介して入力されると、修正された色変換パラメータにしたがって色変換処理がされるため、文字データ１の赤色は、ユーザが所望する赤でプリントされる。
【００８９】
第１の実施形態に係る画像処理装置１によれば、入力される文書データのフォーマットに関わらず、色調整手段１７０は文書を容易に表示し、ユーザに提示することができる。また、入力された文書データと同じ絵柄が表示されるため、ユーザは容易に、速く、修正したい色（修正前の色）を指定できる。
【００９０】
さらに、ユーザが所持しているハードコピー原稿にある所望の色を、読取画像表示手段１７２に並べて表示し、色指示手段（Ｘ字カーソル１７３ｂ）によって容易に所望する色（修正後の色）を指示することができる。
【００９１】
なお、本実施形態は本発明の一例であり、本発明の主旨にしたがい、例えば、色変換処理パラメータ、色指示手段１７０の指示項目およびデザインなどの変更が可能であり、本発明はこれらを排除するものではない。
【００９２】
（２）第２の実施形態
図６は、第２の実施形態に係る画像処理装置１ａの構成例を示したものである。第２の実施形態に係る画像処理装置１ａは、第１の実施形態に係る画像処理装置１に縮小処理手段６１０を付け加えた構成となっている。
【００９３】
縮小処理手段６１０は、ラスタ画像データ記憶手段１６０に記憶されたラスタ画像データのサイズ、すなわち縦方向と横方向の画素数を減少させる機能を有する。例えば図７に示すように、縦2000×横1000画素のラスタ画像データを縦1000×横500画素にする。
【００９４】
レンダリング手段１２０から出力されるラスタ画像データは、出力手段１４０の出力解像度に対応したデータサイズで出力される。しかし、色調整手段１７０での画像表示には、高解像度のラスタ画像データは必ずしも必要ではないため、ラスタ画像データを縮小処理しても問題がない場合が多い。
【００９５】
また、図８に示すように、レンダリング手段１２０によって生成されたラスタ画像データをラスタ画像データ記憶手段１６０に記憶させる前に、縮小処理手段６１０を設けても同様な効果を得ることができる。
【００９６】
本実施形態における動作は、前記縮小処理手段６１０によりラスタ画像データのサイズが減少されたラスタ画像が色調整手段１７０の画面に表示されることを除くと、第１の実施形態と同様である。
【００９７】
第２の実施形態に係る画像処理装置１ａ、１ａ’によれば、第１の実施形態に係る画像処理装置１の効果に加えて、前記縮小処理手段を設けることによってラスタ画像データのサイズが小さくなるため画像表示の速度が向上し、また、画像表示用メモリの容量も小さくて済む利点が生じる。
【００９８】
（３）第３の実施形態
図９は、第３の実施形態に係る画像処理装置１ｂの構成例を示したものである。
【００９９】
第３の実施形態に係る画像処理装置１ｂは、第１の実施形態に係る画像処理装置１に文書構造情報記憶手段９１０を付け加えた構成を有する。
【０１００】
ここで、文書構造情報とは、文書データ中のオブジェクトに関する情報、或いは出力手段における出力条件に関する情報（出力条件指示情報）、或いはこれらの双方の情報を含むものを意味する。
【０１０１】
文書データ中のオブジェクトに関する情報には、文書データ中に含まれるオブジェクトの種類、文書中のどの位置にどのオブジェクトが存在するかの情報を含む。また、出力手段における出力条件に関する情報（出力条件指示情報）には、出力画像の解像度、ハーフトーン種類、プリント出力の場合にはプリント用紙種類等の情報が含まれる。
【０１０２】
レンダリング手段１２０は、入力された文書データをラスタ画像データに変換するとともに、文書データ中のオブジェクト種類（文字、図形、自然画）を判別し、さらに判別したオブジェクト種類から文書構造情報を生成する。ここで、文書構造情報には、図２（ｃ）に示すように、文書中のどの位置にどのオブジェクトがあるかを示す情報が含まれる。
【０１０３】
また、レンダリング手段１２０は、文書データ中のオブジェクト種類の判別結果に基づき、判別されたオブジェクトに対応した色変換パラメータを、色変換パラメータ記憶手段１５０に記憶されている複数の色変換パラメータの中から、指定する。
【０１０４】
色変換処理手段１３０は、ラスタ画像データを色変換パラメータにしたがって色変換を行う。このとき用いる色変換パラメータは、前記レンダリング手段１２０が判別したオブジェクトの種類に対応した色変換テーブルである。色変換手段１３０における処理は、既に説明した方法によって行うことができる。
【０１０５】
色変換パラメータ記憶手段１５０は、色変換処理手段１３０で使用され、オブジェクト種類に対応した複数の色変換パラメータを記憶する。
【０１０６】
文書構造情報記憶手段９１０は、レンダリング手段１２０によって生成された文書構造情報を記憶する。
【０１０７】
色調整手段１７０は、色変換パラメータ記憶手段１５０に記憶されている色変換パラメータを、ユーザの指示にしたがって出力の色が所望するものとなるように修正する。このとき用いられる色変換パラメータは、文書構造情報記憶手段９１０に記憶されている文書構造情報に基づいて選択される。
【０１０８】
第３の実施形態に係る画像処理装置１ｂの具体的な動作例ついて以下に説明する。
【０１０９】
図４（ａ）は、ユーザが一般的な文書作成ソフトウェアを使用して作成した１ページの文書データであり、文字データ、ベクター（図形）データ、自然画像データを含む。また、文字データ１の文字は、ユーザが一般的な文書作成ソフトウェア上で指定した例えば赤の文字である。この文書データは、入力手段１１０を介して画像処理装置１ｂに入力される。
【０１１０】
続いてレンダリング手段１２０によって、文書中の文字データ、ベクターデータ、自然画像データは、すべて、図４（ｂ）に示すＲＧＢのラスタ画像データになる。また、レンダリング手段１２０は、図４（ｄ）に示すように、文書データ中のどの位置にどのオブジェクトがあるかを示す文書構造情報を生成し、この文書構造情報は文書構造情報記憶手段９１０に記憶される。ラスタ画像データは、ラスタ画像データ記憶手段１６０に記憶されるとともに、色変換処理手段１３０に入力される。
【０１１１】
色変換処理手段１３０には、色変換パラメータ記憶手段１５０に記憶されている色変換パラメータである３次元ＬＵＴデータのうち、レンダリング手段１２０が判別したオブジェクトの種類に対応した３次元ＬＵＴがセットされる。そして、色変換処理手段１３０は、入力されるＲＧＢラスタ画像データを順次、３次元ＬＵＴに基づき、必要に応じて補間演算を行い、ＣＭＹＫ値に変換する。図４（ｃ）はこのようにしてＣＭＹＫに色変換されたラスタ画像データを示す。ＣＭＹＫ値に色変換されたラスタ画像データは、出力手段１４０によりプリントされる。
【０１１２】
ここで、ユーザがプリント出力されたハードコピーを見て、文字データ１の文字の赤色はユーザが所望する赤ではないと考える場合がある。このとき、ユーザは、色調整手段１７０を用いて、文字データ１の文字の赤色をユーザが所望する赤が得られるよう文字オブジェクト用の色変換パラメータを修正することができる。
【０１１３】
より詳細に、本実施形態における色調整手段１７０を用いた色調整の例について説明する。第１の実施形態と同様に、図５に示すように色調整手段１７０は、例えば、画像表示手段１７１、１７２および色指示手段１７３ａ、１７３ｂというユーザインタフェースを持っている。画像表示手段１７１はラスタ画像データを表示する。また読取画像表示手段１７２は、読取ラスタ画像データを表示する。
【０１１４】
色指示手段（十字カーソル１７３ａ）によって、画像表示手段１７１に表示されたラスタ画像データ中にユーザが修正したい色が存在するときに、ユーザが修正したい色（修正前の色）を指定する。
【０１１５】
画像表示手段１７１にはラスタ画像データ記憶手段１６０に記憶されているラスタ画像データが表示されている。ここで、ラスタ画像データは、レンダリング手段１２０によって既にラスタ形式のデータフォーマットとなっている。したがって、特別なフォーマットコンバータを必要としないで、ＲＧＢラスタ画像データを容易に画像表示手段に表示することができる。ユーザは、十字カーソル１７３ａをマウスなどのポインティングデバイス（図示せず）を使用して、画像表示手段１７１に表示されたラスタ画像データ上で文字データ１の部分にあわせる。この操作によって、文字データ１の色が所望しない、すなわち修正したい色（修正前の色）として指定される。この段階での文字データ１の色のＲＧＢ値を、（Ｒ１，Ｇ１，Ｂ１）とし、色調整手段１７０に記憶しておく。
【０１１６】
次に、ユーザは、読取画像表示手段１７２に表示されている読取ラスタ画像データの中から、Ｘ字カーソル１７３ｂを用いて所望の色（色パッチ）を選択する。この操作に応じて画像表示手段１７１に表示されている文字データ１の色が変化する。但し、文字データ１の元々の色（Ｒ１，Ｇ１，Ｂ１）と異なる色の部分の色は変化しない。
【０１１７】
ユーザは前記の操作により、文字データ１の色が所望する赤色となるように指定することができる。また、所望の色のＲＧＢ値を、（Ｒ２，Ｇ２，Ｂ２）とし、色調整手段１７０に記憶しておく。
【０１１８】
以上のように修正したい色（Ｒ１，Ｇ１，Ｂ１）と、所望する色（Ｒ２，Ｇ２，Ｂ２）とを指定した後、この指定にしたがって色変換パラメータが修正される。色変換パラメータの修正方法は第１の実施形態で説明した方法と同様である。
【０１１９】
ここで、本実施形態で修正の対象となる色変換パラメータは、文書構造情報によって決定される。すなわち、ユーザが色調整手段１７０の色指示手段を用いて十字カーソル１７３ａで指定した色の位置と、文書構造情報記憶手段９１０に記憶されている文書構造情報を、色調整手段１７０が照らし合わせる。このことにより、色調整手段１７０は、色指示手段を用いてユーザが十字カーソルで指定した色が、どの種類のオブジェクトに含まれているかを認識する。この認識結果に基づき、色調整手段１７０は、オブジェクト種類に対応する色変換パラメータを色変換パラメータ記憶手段に記憶されている色変換パラメータの中から選択する。上記の説明においては、文字データ１の色を修正対象として指示しているため、選択される色変換パラメータは文字オブジェクトに対応したものとなる。
【０１２０】
色変換パラメータが修正された後、図４（ａ）に示す文書データが再度、入力手段１１０を介して入力されると、修正された色変換パラメータにしたがって、色変換処理がされるため、文字データ１の赤色は、ユーザが所望する赤でプリントされる。また、修正された色変換パラメータは、文字オブジェクトに対応した色変換パラメータだけであるため、他のオブジェクト、すなわち図形オブジェクトと自然画像オブジェクトの色は変化しない。
【０１２１】
第３の実施形態に係る画像処理装置１ｂによれば、第１の実施形態に係る画像処理装置１の効果に加えて、文書構造情報により、修正対象の色変換パラメータが自動的に選択され、かつ、ユーザが修正対象の色を含む部分と所望の色を指示することにより前記色変換パラメータが自動的に修正される。また、ユーザが指定した色を含むオブジェクトの種類に対応した色変換パラメータのみが修正されるため、修正を必要としない他のオブジェクトの色には影響を与えない。
【０１２２】
なお、上記の説明では文書構造情報を文書データ中のオブジェクトの種類としたが、例えば用紙種類、ハーフトーン種類などの文書データが指示するプリント出力条件を文書構造情報とすることもでき、文書データ中のオブジェクトの種類と前記プリント出力条件との両方とすることもできる。
【０１２３】
（４）第４の実施形態
図１０は、第４の実施形態に係る画像処理装置１ｃの構成例を示す図である。
【０１２４】
第４の実施形態に係る画像処理装置１ｃは、第３の実施形態に係る画像処理装置１ｂに縮小処理手段６１０を付け加えた構成を有する。
【０１２５】
縮小処理手段６１０は、第２の実施形態と同様にラスタ画像データ記憶手段１６０に記憶されたラスタ画像データのサイズを縮小する。併せて、文書構造情報記憶手段９１０に記憶された文書構造情報のサイズ（文書構造の配置サイズ）をラスタ画像データの縮小サイズに対応させて縮小する。
【０１２６】
なお、ラスタ画像データは、ラスタ画像データ記憶手段１６０に記憶する前に縮小する形態としてもよい。
【０１２７】
第４の実施形態によれば、第１の実施形態に係る画像処理装置１の効果に加えて、第２、第３の実施形態に係る画像処理装置１ａ、１ｂの効果も併せて実現することが可能となる。
【０１２８】
なお、本発明は上記各実施形態そのままに限定されるものではなく、実施段階ではその要旨を逸脱しない範囲で構成要素を変形して具体化できる。また、上記各実施形態に開示されている複数の構成要素の適宜な組み合わせにより、種々の発明を形成できる。例えば、実施形態に示される全構成要素から幾つかの構成要素を削除してもよい。さらに、異なる実施形態にわたる構成要素を適宜組み合わせても良い。
【図面の簡単な説明】
【０１２９】
【図１】本発明に係る画像処理装置の第１の実施形態の構成例を示す図。
【図２】本発明に係る画像処理装置の動作例を説明する第１の図。
【図３】本発明に係る画像処理装置の色変換パラメータ（３次元ＬＵＴ）の動作概念を説明する図。
【図４】本発明に係る画像処理装置の動作例を説明する第２の図。
【図５】本発明に係る画像処理装置の色調整手段の一例を示す図。
【図６】本発明に係る画像処理装置の第２の実施形態の構成例を示す図。
【図７】本発明に係る画像処理装置におけるラスタ画像データの縮小の概念を説明する図。
【図８】本発明に係る画像処理装置の第２の実施形態の他の構成例を示す図。
【図９】本発明に係る画像処理装置の第３の実施形態の構成例を示す図。
【図１０】本発明に係る画像処理装置の第４の実施形態の構成例を示す図。
【図１１】従来技術による色調整の方法を説明する図。
【符号の説明】
【０１３０】
１、１ａ、１ａ’、１ｂ、１ｃ  画像処理装置
１１０  入力手段
１２０  レンダリング手段
１３０  色変換処理手段
１４０  出力手段
１５０  色変換パラメータ記憶手段
１６０  ラスタ画像データ記憶手段
１７０  色調整手段
１８０  画像読取手段
６１０  縮小処理手段
９１０  文書構造情報記憶手段
【図１】
2006260533.tif 000003
【図２】
2006260533.tif 000004
【図３】
2006260533.tif 000005
【図４】
2006260533.tif 000006
【図５】
2006260533.tif 000007
【図６】
2006260533.tif 000008
【図７】
2006260533.tif 000009
【図８】
2006260533.tif 000010
【図９】
2006260533.tif 000011
【図１０】
2006260533.tif 000012
【図１１】
2006260533.tif 000013